(57)【特許請求の範囲】
【請求項１】
パネル本体とレール部材とからなり、パネル本体は所定間隔をおいて断面方形の溝が複数形成されるとともに、該溝の開口部が溝幅より狭くなされており、レール部材は上記溝内に嵌合可能な略Ｃ型部と溝の開口部に嵌合可能な上下折返し部とからなり、上折返し部は略Ｌ型となされるとともにその上端はＣ型部上端より僅か後方で一体化されて該一体化部分の前方にＣ型部上端が延長されて押え部が形成され、下折返し部の後端はＣ型部下端と湾曲状に一体化されており、上下折返し部の間隔が溝の開口部幅よりも広くなされており、レール部材の上下折返し部を狭め、Ｃ型部上端から溝の開口部より溝内へ挿入し、Ｃ型部全体を溝内に挿入後、上下折返し部を開放することによりＣ型部の反発弾性により上下折返し部の間隔が広がり溝の開口部に密接するようになされた壁面陳列什器。
【請求項２】
レール部材が上折返し部との一体化部分よりＣ型部上端が下方に延長されて押え部が形成されてなる請求項１記載の壁面陳列什器。
【請求項３】
レール部材が上下折返し部の先端に係止爪を有する請求項１または２のいずれかに記載の壁面陳列什器。
【請求項４】
請求項１記載の壁面陳列什器の施工方法であって、パネル本体の溝底に木ねじ等の固定部材を貫通させてパネル本体を躯体壁面に取着した後、該溝にレール部材を嵌合し、固定部材を覆い隠してなる壁面陳列什器の施工方法。
【発明の詳細な説明】
【０００１】
【発明の属する技術分野】
本発明は、壁面を利用して商品等を陳列する壁面陳列什器に関する。
【０００２】
【従来の技術】
従来、この種の壁面陳列什器として、たとえばパネル本体に形成された開口部より奥が広い溝に断面略同形状のレール部材をパネル本体の側面から嵌合し、該レール部材の底に木ねじ等の固定部材を貫通させて該レール部材ごとパネル本体を躯体壁面に取着する方法が知られている。
【０００３】
しかしこのような取着の仕方では、木ねじ等の固定部材の頭が壁面陳列什器から見え、体裁が劣るという欠点がある。
【０００４】
また陳列する商品に合わせてレール部材の色彩を変更したい場合、木ねじ等の固定部材を外さねばならず、そうすると壁面陳列什器全体を躯体壁面から取り外さねばならなくなり、非常に煩瑣であるという欠点がある。
【０００５】
【発明が解決しようとする課題】
上記の如き問題点を改善すべく、鋭意工夫の結果、本出願人はパネル本体自身を躯体壁面に取着後、パネル本体の正面からレール部材を嵌合することにより、上記欠点の解消に成功し本発明を完成するにいたったのである。
【０００６】
【課題を解決するための手段】
すなわち本発明壁面陳列什器は、パネル本体とレール部材とからなり、パネル本体は所定間隔をおいて断面方形の溝が複数形成されるとともに、該溝の開口部が溝幅より狭くなされており、レール部材は上記溝内に嵌合可能な略Ｃ型部と溝の開口部に嵌合可能な上下折返し部とからなり、上折返し部は略Ｌ型となされるとともにその上端はＣ型部上端より僅か後方で一体化されて該一体化部分の前方にＣ型部上端が延長されて押え部が形成され、下折返し部の後端はＣ型部下端と湾曲状に一体化されており、上下折返し部の間隔が溝の開口部幅よりも広くなされており、レール部材の上下折返し部を狭め、Ｃ型部上端から溝の開口部より溝内へ挿入し、Ｃ型部全体を溝内に挿入後、上下折返し部を開放することによりＣ型部の反発弾性により上下折返し部の間隔が広がり溝の開口部に密接するようになされたものである。
【０００７】
また本発明壁面陳列什器は、レール部材が上折返し部との一体化部分よりＣ型部上端が下方に延長されて押え部が形成されてなるものである。
【０００８】
さらに本発明壁面陳列什器は、レール部材が上下折返し部の先端に係止爪を有するものである。
【０００９】
さらにまた本発明壁面陳列什器の施工方法は、パネル本体の溝底に木ねじ等の固定部材を貫通させてパネル本体を躯体壁面に取着した後、該溝にレール部材を嵌合し、固定部材を覆い隠してなるものである。
【００１０】
【発明の実施の形態】
以下図面を参照しながら本発明壁面陳列什器について詳述する。図面において１はパネル本体、２はレール部材である。なお、３は固定部材、４は躯体壁面、５は陳列什器部品である。
【００１１】
パネル本体１は鉄、アルミニウム等の金属板、合成樹脂板、パーティクルボード等の木質板等からなり、その表側には所定間隔をおいて複数本の溝１１が水平方向に平行に形成されている。該溝１１の形状は断面方形となされ、かつ溝１１の開口部１２が溝１１の幅より狭くなされている。
【００１２】
レール部材２はステンレススチール等の金属、合成樹脂等からなり、パネル本体１の溝１１内に嵌合可能な略Ｃ型部２１と溝１１の開口部１２に嵌合可能な上下折返し部２２、２３とからなり、上折返し部２２は略Ｌ型となされるとともにその上端はＣ型部２１上端より僅か後方で一体化されて該一体化部分の前方にＣ型部２１上端が延長されて押え部２４が形成され、下折返し部２３の後端はＣ型部２１下端と湾曲状に一体化されており、上下折返し部２２、２３の間隔が溝１１の開口部１２幅よりも広くなされている。
【００１３】
レール部材２をパネル本体１の溝１１内に嵌合させるには、該レール部材２の上下折返し部２２、２３を狭め、Ｃ型部２１上端から溝１１の開口部１２より溝１１内へ挿入し、Ｃ型部２１全体を溝１１内に挿入後、上下折返し部２２、２３を開放することによりＣ型部２１の反発弾性により上下折返し部２２、２３の間隔が広がり溝１１の開口部１２に密接するようになされている。
【００１４】
さらに本発明壁面陳列什器の施工方法について説明する。まず、パネル本体１の溝１１底に木ねじ等の固定部材３を貫通させてパネル本体１を躯体壁面４に取着した後、パネル本体１の正面から該溝１１にレール部材２を嵌合し、固定部材３を覆い隠せばよい。その後レール部材２にフック、棚受け等の陳列什器部品５を係止し、該陳列什器部品５を介してハンガー、棚等の陳列什器を固定すればよい。
【００１５】
【発明の効果】
以上詳述した如く本発明壁面陳列什器は、パネル本体とレール部材とからなり、パネル本体は所定間隔をおいて断面方形の溝が複数形成されるとともに、該溝の開口部が溝幅より狭くなされており、レール部材は上記溝内に嵌合可能な略Ｃ型部と溝の開口部に嵌合可能な上下折返し部とからなり、上折返し部は略Ｌ型となされるとともにその上端はＣ型部上端より僅か後方で一体化されて該一体化部分の前方にＣ型部上端が延長されて押え部が形成され、下折返し部の後端はＣ型部下端と湾曲状に一体化されており、上下折返し部の間隔が溝の開口部幅よりも広くなされており、レール部材の上下折返し部を狭め、Ｃ型部上端から溝の開口部より溝内へ挿入し、Ｃ型部全体を溝内に挿入後、上下折返し部を開放することによりＣ型部の反発弾性により上下折返し部の間隔が広がり溝の開口部に密接するようになされているので、木ねじ等の固定部材の頭がレール部材にて覆い隠されて目に触れず体裁がよいとともに、レール部材は溝の開口部より着脱自在となされ、陳列される商品に応じて種々の色彩のものを使い分けることができる。
【００１６】
また本発明壁面陳列什器は、レール部材が上折返し部との一体化部分よりＣ型部上端が下方に延長されて押え部が形成されてなる場合は、該押え部先端とＣ型部背面とが溝内で突っ張り、レール部材が溝内でがたつかず好ましい。
【００１７】
さらに本発明壁面陳列什器は、レール部材が上下折返し部の先端に係止爪を有する場合は該係止爪がパネル本体の溝の開口部の縁に係止され、レール部材が溝から外れがたく好ましい。
【００１８】
さらにまた本発明壁面陳列什器の施工方法は、パネル本体の溝底に木ねじ等の固定部材を貫通させてパネル本体を躯体壁面に取着した後、該溝にレール部材を嵌合し、固定部材を覆い隠してなるので、パネル本体の躯体壁面への取着と、パネル本体の溝へのレール部材の嵌合とが別工程となり、施工が容易であるとともに、レール部材の嵌合や交換が容易となる。
【図面の簡単な説明】
【図１】  本発明壁面陳列什器の施工手順の一例の一部切断面図である。
【図２】  本発明壁面陳列什器の一例の一部切欠断面図である。
【図３】  本発明壁面陳列什器に陳列什器部品を固定した例の一部切欠断面図である。
【符号の説明】
１    パネル本体
１１  溝
１２  開口部
２    レール部材
２１  Ｃ型部
２２  上折返し部
２３  下折返し部
２４  押え部
３    固定部材
４    躯体壁面
５    陳列什器部品
【図１】
0003899211.tif 000002
【図２】
0003899211.tif 000003
【図３】
0003899211.tif 000004